(57)【要約】【課題】積重ねて使用できるようにすると共に据付け占有空間に対する庫内容積を大きく確保し、かつ、見栄えの向上を図る。【解決手段】前面が開閉扉５となる貯蔵ボックス本体３の天板又は底板の後端縁に沿って両側方がそれぞれ開放された断面Ｌ形状の切欠きセット部７を形成する一方、その切欠きセット部７に、切欠きセット部７の幅ｂ−１、高さａ−１、奥行ｃ−１が同じ形状の直方体に作られた冷却ユニット９を組付け、その内部に、冷凍サイクルを構成する放熱部１３及び冷却部１５を配置する。【選択図】図１
2009103343.tif 000002
【特許請求の範囲】
【請求項１】
前後、左右、上下の６面からなり前面が開閉扉となる貯蔵ボックス本体と、その貯蔵ボックス本体の上下の天板又は底板の後端縁に沿って設けられ両側方がそれぞれ開放された断面Ｌ形状の切欠きセット部と、その切欠きセット部に組付けられた冷却ユニットとを有し、前記冷却ユニットのユニット本体は、前記切欠きセット部の幅、高さ、奥行の内、少なくとも幅と高さは同一形状の直方体に作られると共にユニット本体内部には、冷凍サイクルを構成する放熱部及び冷却部が配置されていることを特徴とする冷却ユニット付貯蔵ボックス。
【請求項２】
前記放熱部及び冷却部は、直方体に作られたユニット本体の長手方向に沿って直列配置となっていることを特徴とする請求項１記載の冷却ユニット付貯蔵ボックス。
【請求項３】
前記冷却ユニットの外気導入口と放熱口のいずれか一方は、冷却ユニット本体の背面に、他方は冷却ユニット本体の側面にそれぞれ設けられていることを特徴とする請求項１記載の冷却ユニット付貯蔵ボックス。
【発明の詳細な説明】
【技術分野】
【０００１】
本発明は貯蔵ボックス本体に冷却ユニットが取付けられた冷却ユニット付貯蔵ボックスに関する。
【背景技術】
【０００２】
冷却ユニット付貯蔵ボックスは、図９に示す如く前面が開閉扉となる貯蔵ボックス本体１０３の天板の上に冷却ユニット１０５が取付けられた構造となっている（特許文献１参照）。
【特許文献１】特開２０００−１０６７４５号公報
【発明の開示】
【発明が解決しようとする課題】
【０００３】
冷却ユニット付貯蔵ボックス１０１は、冷却ユニット１０５によって庫内が冷却される点では冷蔵庫と似ているが、貯蔵するものとしては、例えば、お米であったり、ワインであったり一種類のものを多量に入れて使用することが多く、冷蔵庫とは使用目的を若干異にする。
【０００４】
また、貯蔵ボックスは貯蔵する目的に応じて対応できるよう大きさも小型のものから大型のものまで揃えられており、これらを使用目的に応じて複数揃えると大きな設置スペースを必要とする。
【０００５】
この場合、設置スペースの占有を半分に減らすことができるように例えば、大型のものと小型のもの、あるいは、小型のもの同志を上下に積重ねて使用する今までにないユニークな使用目的とする考えもあるが、貯蔵ボックス本体１０３の天板の上に冷却ユニット１０５が取付けられているため積重ねることができない問題をかかえる。また、天板の上に突出する冷却ユニット１０５は見栄えの面でも望ましくなかった。
【０００６】
そこで、本発明にあっては、積重ねて使用できるようにすると共に据付け占有空間に対する庫内容積を大きくとることができる見栄えのよい冷却ユニット付貯蔵ボックスを提供することを目的とする。
【課題を解決するための手段】
【０００７】
前記目的を達成するために、本発明にあっては、前後、左右、上下の６面からなり前面が開閉扉となる貯蔵ボックス本体と、その貯蔵ボックス本体の上下の天板又は底板の後端縁に沿って設けられ両側方がそれぞれ開放された断面Ｌ形状の切欠きセット部と、その切欠きセット部に組付けられた冷却ユニットとを有し、前記冷却ユニットのユニット本体は、前記切欠きセット部の幅、高さ、奥行の内、少なくとも幅と高さが同一形状の直方体に作られると共にユニット本体内部には、冷凍サイクルを構成する放熱部及び冷却部が配置されていることを特徴とする。
【発明の効果】
【０００８】
本発明によれば、切欠きセット部内に冷却ユニットが組付けられるため、天板の上に冷却ユニットの突出がなくなり貯蔵ボックス本体を多段に積重ねて使用することができる。しかも、天板の上から突出する冷却ユニットの突出感がなくなり、見栄えの面でも大変好ましいものとなる。
【０００９】
また、据付け占有空間は底面積×高さとなるところから、貯蔵ボックス本体の高さを、天板の上に配置された冷却ユニットの位置まで延長させることが可能となり、その延長した領域分、即ち、冷却ユニットによって内側に張り出す組付スペースを除いた部分をプラスの庫内容積として使用できる。
【発明を実施するための最良の形態】
【００１０】
本発明を実施するにあたって第１に前記放熱部及び冷却部にあっては、直方体に作られたユニット本体の長手方向に沿って直列配列とすることで、庫内側への張り出し量を小さく抑え、庫内容積が少しでも広く使えるようにすることが望ましい。
【００１１】
第２に、前記冷却ユニットの外気導入口と放熱口のいずれか一方を、冷却ユニット本体の背面に、他方を冷却ユニットの本体の側面にそれぞれ設けるようにすることで、向きが９０度異なるようにして、排気したものを吸込むショートサーキットが起きないようにすることが望ましい。
【実施例】
【００１２】
以下、図１乃至図８の図面を参照しながら本発明の実施形態について具体的に説明する。
【００１３】
図１は本発明にかかる冷却ユニット付貯蔵ボックスの概要背面斜視図を示している。
【００１４】
貯蔵ボックス１の貯蔵ボックス本体３は、前後、左右、上下の６面からなり前面は開閉扉５となっている。
【００１５】
貯蔵ボックス本体３の高さＨは、図６に示す如く仮想線で示した従来の貯蔵ボックス本体１０３とその上に配置された冷却ユニット１０５までを加えたものとなっており、底面積×高さＨが据付け占有空間となっている。
【００１６】
貯蔵ボックス本体３の天板の後端には、図３、図４に示すようにその後端縁に沿って後方及び上方並びに両側方が開放された断面Ｌ形状の切欠きセット部７が設けられ、その切欠きセット部７には冷却ユニット９が装着セットされている。
【００１７】
冷却ユニット９の冷却ユニット本体１１は直方体に作られ、高さａ、幅ｂ、奥行ｃは前記切欠きセット部７の高さａ−１、幅ｂ−１、奥行ｃ−１と同一に作られている。
【００１８】
この場合、冷却ユニット本体１１の奥行ｃについては必ずしも同一でなくてもよく、貯蔵ボックス本体３の背面３ａから若干突出する形状に作られていてもよい。
【００１９】
直方体に作られた冷却ユニット本体１１の内部には、図２に示す如く放熱部１３と冷却部１５が長手方向（図面左右方向）に沿って直列配置されている。これにより、庫内容積に影響を与える奥行ｃの寸法を小さく押え、庫内への張り出し量が小さく収まるよう設定されている。
【００２０】
直方体に作られた冷却ユニット本体１１の内部は断熱材による仕切壁１７によって２つ（図面左右方向）の部屋１９，２１に仕切られ、一方の部屋１９には前記した放熱部１３が、他方の部屋２１には冷却部１５がそれぞれ設けられている。
【００２１】
放熱部１３は、冷媒が流れる凝縮器２３と送風用のファン２５とからなり、送風用のファン２５によって外気導入口２７からの空気が凝縮器２３の間を通過する時にガス状の冷媒と空気との間で熱交換が行なわれる。この熱交換時、冷媒はガスの状態から液化となるサイクルになると共に凝縮器２３を通過した空気は放熱口２９から外へ排気される。
【００２２】
外気導入口２７は冷却ユニット本体１１の側面１１ａに、放熱口２９は冷却ユニット本体１１の背面１１ｂにそれぞれ９０度向きが異なるよう設けられ、放熱口２９からの排気を外気導入口２７が直接吸込むショートサーキットが起きない構造となっている。
【００２３】
この場合、外気導入口２７を背面１１ｂに、放熱口２９を側面１１ａにそれぞれ設けるようにすることも可能である。
【００２４】
冷却部１５は、冷媒が流れる蒸発器３１と送風用のファン３３とからなり、送風用のファン３１によって庫内と連通し合う吸込口３５からの空気が蒸発器３１を通過する時に、冷媒と空気との間で熱交換が行なわれる。この熱交換時、蒸発の潜熱によって冷気となり吹出口３７から庫内へ向け吹き出す循環を繰返すことで庫内冷却が行なわれる。
【００２５】
一方、前記凝縮器２３及び蒸発器３１は一方の部屋１９に前記凝縮器２３と共に配置された圧縮機３９及び絞り装置４１と冷媒管を介して連通し、図５に示す如く圧縮機３９から吐出された冷媒が凝縮器２３、絞り装置４１、蒸発器３１を通り、再び圧縮機３９に戻る冷凍サイクルを構成している。
【００２６】
このように構成された冷却ユニット付貯蔵ボックス１によれば、天板の上に突出する冷却ユニット９がなくなるため見栄えの向上が図れると共に、図７に示す如く二段に積重ねて使用することができる。
【００２７】
また、開閉扉５を開けることで内部に食料品等の貯蔵が行なえる。この扉の開閉時、冷却ユニット９は背面側にあるため扉の開閉に何等支障が起きることはない。
【００２８】
一方、食料品等の貯蔵時において、切欠きセット部７の内側への張り出し量が小さく抑えられている点と、貯蔵ボックス本体３を従来の冷却ユニット１０５の位置まで高くした点と相俟って庫内容積を広く使用できるようになる。
【００２９】
また、切欠きセット部７は、天板の後端縁に沿って内側領域に張り出すよう設けられているこの領域は、あまり使われない一種のデッドスペースとなっており、そのデッドスペースを有効利用した手段となっているため貯蔵にあたって大きな制約を受けることはない。
【００３０】
なお、本実施形態にあっては冷却ユニット９を図８に示すように底板の後端縁に沿って設けられた断面Ｌ形状の切欠きセット部７に組付けて使用することも可能である。
【図面の簡単な説明】
【００３１】
【図１】本発明にかかる冷却ユニット付貯蔵ボックスの概要背面斜視図。
【図２】冷却ユニットの概要切断平面図。
【図３】貯蔵ボックス本体の概要背面図。
【図４】貯蔵ボックス本体の概要側面図。
【図５】冷凍サイクル図。
【図６】貯蔵ボックス本体の取付け占有空間を示す説明図。
【図７】冷却ユニット付貯蔵ボックスを二段重ねした状態の概要背面斜視図。
【図８】冷却ユニットを貯蔵ボックスの底板後端縁に沿って設けた冷却ユニット付貯蔵ボックスの概要背面斜視図。
【図９】貯蔵ボックス本体の上に冷却ユニットが配置された従来の冷却ユニット付貯蔵ボックスの説明用概要正面図。
【符号の説明】
【００３２】
３…貯蔵ボックス本体
５…開閉扉
７…切欠きセット部
９…  冷却ユニット
１１…ユニット本体
１１ａ…側面
１１ｂ…背面
１３…放熱部
１５…冷却部
２７…外気導入口
２９…放熱口
ａ−１…高さ
ｂ−１…幅
ｃ−１…奥行
【図１】
2009103343.tif 000003
【図２】
2009103343.tif 000004
【図３】
2009103343.tif 000005
【図４】
2009103343.tif 000006
【図５】
2009103343.tif 000007
【図６】
2009103343.tif 000008
【図７】
2009103343.tif 000009
【図８】
2009103343.tif 000010
【図９】
2009103343.tif 000011